(57)【要約】【課題】フランジ付きフィルタ枠のフランジの形状を工夫して溝型鋼で作られたフィルタ枠の保形性（変形防止機能）を高めることを課題としている。【解決手段】横枠Ｈｆ１，Ｈｆ２と、縦枠Ｖｆ１，Ｖｆ２を備えたフィルタ枠２と、そのフィルタ枠の前面に固定されるフランジ３を備え、フィルタ枠２は、溝型鋼を曲げ加工した枠又は横枠と縦枠が溝型鋼で分割枠として形成されて分割枠の各々が機械的に締結された枠として構成され、そのフィルタ枠２で濾材を保持し、前記フランジを利用して全体を通気口に取り付けるように構成されたフランジ付きフィルタ枠を、前記フランジ３が、フィルタ枠２の少なくとも片方の横枠と、少なくとも片方の縦枠の前面に添う領域が一体に形成されたものを備え、そのフランジ３によってフィルタ枠２の横枠と縦枠が連結されたものにした。【選択図】図１
2020006334.tif 000002
【特許請求の範囲】
【請求項１】
対をなす上下の横枠（Ｈｆ１，Ｈｆ２）と対をなす左右の縦枠（Ｖｆ１，Ｖｆ２）を備えた正面視方形のフィルタ枠（２）と、そのフィルタ枠（２）の前面に固定されるフランジ（３）を備え、
前記フィルタ枠（２）は、溝型鋼（Ｃ）を曲げ加工した枠又は前記上下の横枠（Ｈｆ１，Ｈｆ２）と前記左右の縦枠（Ｖｆ１，Ｖｆ２）が溝型鋼で分割枠として形成されて分割枠の各々が機械的に締結された枠として構成され、そのフィルタ枠（２）で濾材を保持し、前記フランジ（３）を利用して全体を通気口に取り付けるように構成されたフランジ付きフィルタ枠（１）であって、
前記フランジ（３）として、前記フィルタ枠（２）の少なくとも片方の横枠と少なくとも片方の縦枠の前面に添う領域が一体に形成されたものを備え、そのフランジ（３）によって前記フィルタ枠（２）の横枠と縦枠が連結されたフランジ付きフィルタ枠。
【請求項２】
前記フランジ（３）が、第１の分割フランジ（３ａ）と第２の分割フランジ（３ｂ）とで構成され、前記第１の分割フランジ（３ａ）は、前記フィルタ枠（２）の左右の縦枠（Ｖｆ１，Ｖｆ２）と上下の横枠（Ｈｆ１,Ｈｆ２）の中の３つの枠の前面に添う門型フランジとして構成され、前記第２の分割フランジ（３ｂ）は、前記フィルタ枠（２）の他のひとつの枠の前面に添うストレートフランジとして構成されている請求項１に記載のフランジ付きフィルタ枠。
【請求項３】
前記フランジ（３）が、第１の分割フランジ（３ａ）で構成され、その第１の分割フランジ（３ａ）は、前記フィルタ枠（２）の左右の縦枠（Ｖｆ１，Ｖｆ２）と上下の横枠（Ｈｆ１，Ｈｆ２）の中の３つの枠の前面に添う門型フランジとして構成されている請求項１に記載のフランジ付きフィルタ枠。
【請求項４】
前記フランジ（３）が、第１の分割フランジ（３ｃ）と第２の分割フランジ（３ｄ）とで構成され、前記第１の分割フランジ（３ｃ）と第２の分割フランジ（３ｄ）の双方が、前記フィルタ枠（２）の片方の縦枠と片方の横枠の前面に添うＬ字状のフランジとして構成されている請求項１に記載のフランジ付きフィルタ枠。
【発明の詳細な説明】
【技術分野】
【０００１】
この発明は、例えば、配電盤、工作機械、電子機器をはじめとした各種機器の通気口に取り付けられて濾材を保持するフランジ付きフィルタ枠に関する。
【背景技術】
【０００２】
空気のろ過や異物、虫などの侵入防止を目的として通気口に設置される既知のフィルタ装置として、下記特許文献１に示されるもの、即ち、正面視方形のフィルタ枠と嵌め込み枠を組み合わせ、その２者間に濾材を挟み込んで保持するようにしたものがある。
【０００３】
前記フィルタ枠は、溝型鋼（チャンネル鋼）で形成されたものなどが用いられている。溝型鋼製のフィルタ枠には、図１２に示すように、溝型鋼Ｃを曲げ加工して作られたものと、図１３〜図１５に示すように、上下の横枠Ｈｆ１，Ｈｆ２及び左右の縦枠Ｖｆ１，Ｖｆ２とをなす独立した４個の分割枠をリベットなどで締結して正面視方形の枠に組み立てたものがある。
【０００４】
溝型鋼Ｃの曲げ加工は、図１２に示すように、溝型鋼Ｃのウェブの両端のフランジ（以下で述べるフランジとの混同を避けるためにこの発明ではこれを両側壁Ｏｗと言う）に、ノッチ（切欠き）ｎを対応させて設け、ノッチ形成部においてウェブを曲げる方法でなされている。
【０００５】
溝型鋼製のフィルタ枠の中には、そのフィルタ枠を通気口（吸気口や排気口など）に取り付けるためのフランジをフィルタ枠の前面にその全周に渡って取り付けたものがある。この発明で言うフランジ付きフィルタ枠がそれである。
【０００６】
そのフランジ付きフィルタ枠の従来品は、図１６、図１７に示すように、フランジを４つの分割部材３−１〜３−４で構成し、その４つの分割部材３−１〜３−４をフィルタ枠２の２箇所の横枠Ｈｆ１，Ｈｆ２と２箇所の縦枠Ｖｆ１，Ｖｆ２の各々の前面にリベットで固定するなどして別々に取り付けている。
【先行技術文献】
【特許文献】
【０００７】
【特許文献１】特開２０１８−３８９９７号公報
【発明の概要】
【発明が解決しようとする課題】
【０００８】
図１２のフィルタ枠２は、溝型鋼の対面壁にノッチｎを付けたことで、両側壁Ｏｗの曲げ加工の妨げになる部分がコーナ部において切り離され、縦枠と横枠は、溝形鋼の厚みの限られたウェブ（枠の周壁）のみを介して繋がった状態になっている。
【０００９】
このため、横に押す力を外部から受けるとフィルタ枠は形が崩れ易く、正面視形状が菱形や鋭角コーナと鈍角コーナを有する菱形以外の平行四辺形になる可能性が高い。
【００１０】
上下の横枠Ｈｆ１，Ｈｆ２と左右の縦枠Ｖｆ１，Ｖｆ２を個々に分割し、それぞれの分割枠をリベットなどで締結した図１３〜図１５のようなフィルタ枠２を用いているものについても同じことが言える。
【００１１】
従来のフランジ付きフィルタ枠は、取り付け用のフランジがフィルタ枠２の４辺（２個の横枠と２個の縦枠）に個別にあてがわれる分割部材３−１〜３−４で構成されているため、フランジによるフィルタ枠２の形崩れ防止の効果が期待できず、保形性の確保に関して問題を抱えたものになっていた。
【００１２】
この発明は、フランジ付きフィルタ枠のフランジの形状を工夫して溝型鋼で作られたフィルタ枠の保形性（変形防止機能）を高めることを課題としている。
【課題を解決するための手段】
【００１３】
上記の課題を解決するため、この発明においては、対をなす上下の横枠と対をなす左右の縦枠を備えた正面視方形のフィルタ枠と、そのフィルタ枠の前面に固定されるフランジを備え、
前記フィルタ枠は、溝型鋼を曲げ加工した枠又は前記上下の横枠と前記左右の縦枠が溝型鋼で分割枠として形成されて分割枠の各々が機械的に締結された枠として構成され、そのフィルタ枠で濾材を保持し、前記フランジを利用して全体を通気口に取り付けるように構成されたフランジ付きフィルタ枠を以下の通りに構成した。
即ち、前記フランジとして、前記フィルタ枠の少なくとも片方の横枠と少なくとも片方の縦枠の前面に添う領域が一体に形成されたものを備え、そのフランジによって前記フィルタ枠の横枠と縦枠が連結されたものにした。
【００１４】
前記フランジは、以下の４つの形態が考えられる。
１）第１の分割フランジと第２の分割フランジとで構成され、前記第１の分割フランジは、前記フィルタ枠の左右の縦枠と上下の横枠の中の３つの枠の前面に添う門型フランジとして構成され、前記第２の分割フランジは、前記フィルタ枠の他のひとつの枠の前面に添うストレートフランジとして構成されているもの。
【００１５】
２）前記フランジが、前記１）の形態の門型の第１の分割フランジのみで構成され、前記１）の形態の第２の分割フランジが無いもの。
【００１６】
３）前記フランジが、第１の分割フランジと第２の分割フランジとで構成され、前記第１の分割フランジと第２の分割フランジの双方が、前記フィルタ枠の片方の縦枠と片方の横枠の前面に添うＬ字状のフランジとして構成されているもの。
【発明の効果】
【００１７】
この発明のフランジ付きフィルタ枠は、溝型鋼で形成されたフィルタ枠の前面に取り付けるフランジとして、フィルタ枠の少なくとも片方の横枠と少なくとも片方の縦枠の前面に添う領域が一体に形成されたものを備え、そのフランジを介して前記フィルタ枠の横枠と縦枠が互いに連結されている。
【００１８】
このために、フランジによるフィルタ枠の補強効果が生じ、フィルタ枠に加わる横向きの力が縦枠と横枠を連結したフランジにより受け止められる。
【００１９】
これにより、フィルタ枠の形崩れが防止され、枠の保形と濾材の保持安定性が向上する。
【００２０】
フィルタ枠の形崩れ防止の効果は、門型に構成されたフランジを採用したものが特に優れる。
【図面の簡単な説明】
【００２１】
【図１】この発明のフランジ付きフィルタ枠の第１形態を示す正面図である。
【図２】図１のフランジ付きフィルタ枠の側面図である。
【図３】この発明のフランジ付きフィルタ枠の第２形態を示す正面図である。
【図４】図３のフランジ付きフィルタ枠の側面図である。
【図５】この発明のフランジ付きフィルタ枠の第３形態を示す正面図である。
【図６】図５のフランジ付きフィルタ枠の側面図である。
【図７】この発明のフランジ付きフィルタ枠の第４形態を示す正面図である。
【図８】図７のフランジ付きフィルタ枠の側面図である。
【図９】この発明のフランジ付きフィルタ枠の第５形態を示す正面図である。
【図１０】図９のフランジ付きフィルタ枠の側面図である。
【図１１】この発明のフランジ付きフィルタ枠を有するフィルタ装置の使用の一例を示す分解斜視図である。
【図１２】溝型鋼で形成されたフィルタ枠の一例を示す正面図である。
【図１３】溝型鋼で形成されたフィルタ枠の他の例を示す斜視図である。
【図１４】溝型鋼で形成されたフィルタ枠のさらに他の例を示す斜視図である。
【図１５】溝型鋼で形成されたフィルタ枠のさらに他の例を示す斜視図である。
【図１６】従来のフランジ付きフィルタ枠を示す正面図である。
【図１７】図１６のフランジ付きフィルタ枠の側面図である。
【発明を実施するための形態】
【００２２】
添付図面の図１〜図１０に基づいて、この発明のフランジ付きフィルタ枠の実施の形態を説明する。
【００２３】
図１、図２は、フランジ付きフィルタ枠の第１形態を、図３、図４は、第２形態を、図５、図６は、第３形態を、図７、図８は、第４形態を、図９、図１０は、第５形態をそれぞれ示している。
【００２４】
図１、図２に示した第１形態のフランジ付きフィルタ枠１は、溝型鋼で形成された正面視方形のフィルタ枠２と、そのフィルタ枠２の前面に固定したフランジ３とからなる。
【００２５】
フィルタ枠２は、溝型鋼を曲げ加工して作られたもの、独立した４つの分割枠を正面視方形となるように組み合わせ、隣り合う分割枠の端部を、リベットなどを用いて締結したもののどちらかである。
【００２６】
溝型鋼を曲げ加工して作られたフィルタ枠２は、３辺｛左右の縦枠Ｖｆ１、Ｖｆ２と、上下どちらかの横枠（図はＨｆ１）｝を一連の鋼材で形成した第１の分割枠と、他の一辺（図のそれは横枠Ｈｆ２）となるストレートな第２の分割枠とで構成し、第２の分割枠を第１の分割枠に着脱自在に取り付けたものと、４辺（縦枠Ｖｆ１、Ｖｆ２と横枠Ｈｆ１、Ｈｆ２）が一連の鋼材で形成されたものの２形態が考えられる。
【００２７】
前記第２の分割枠を有するものは、その第２の分割枠を第１の分割枠から外して第１の分割枠が備える内向き開口の溝２ａ（図２参照）に、濾材（図示せず）と、その濾材を定位置に保持するスクリーンなどの濾材保持部材（これも図示せず）を挿入することができ、濾材の交換がし易い。
【００２８】
濾材や濾材保持部材は、フィルタ枠２で保持できるものであればよく、必ずしも内向き開口の溝２ａに組み込む必要はない。フィルタ枠２の後部側に別部材を用いて取り付けることも可能である。
【００２９】
フランジ３は、フィルタ枠２の３辺、即ち、フィルタ枠２の左右の縦枠Ｖｆ１、Ｖｆ２と横枠Ｈｆ１の前面に添わせて固定する門型の第１の分割フランジ３ａと、フィルタ枠２の横枠Ｈｆ２の前面に添わせて固定するストレートな第２の分割フランジ３ｂの２者からなる。
【００３０】
フランジ３は、第２形態（図３、図４）のように、第２の分割フランジ３ｂの省かれたもの（門型の第１の分割フランジ３ａのみ）であってもよい。
【００３１】
フィルタ枠２の中には、濾材やその濾材を保持するスクリーンや押え具などの保持具を枠の内向き開口の溝２ａに対して出し入れ可能となすために、枠の一辺（横枠の片方又は縦枠の片方）を他の３辺から取り外せるようにしたものがある。
【００３２】
そのタイプのフィルタ枠２を有するフランジ付きフィルタ枠については、取り外し自在の枠にフランジを固定するとそのフランジを通気口の口部にねじ止めする手間が余分にかかるので、第２の分割フランジ３ｂが無い方がむしろ好ましい。
【００３３】
第１の分割フランジ３ａは、第３形態（図５、図６）のように、フィルタ枠２の上下の横枠Ｈｆ１、Ｈｆ２と左右いずれか片方の縦枠（図のそれはＶｆ１）に添うものにし、縦枠Ｖｆ２の前面に第２の分割フランジ３ｂが固定される構造のフランジにしてもよい。
【００３４】
第４形態（図７、図８は）は、第３形態の第２の分割フランジ３ｂを省いたものであって、この構造でもフランジ３によるフィルタ枠２の補強がなされる。
【００３５】
第５形態（図９、図１０）は、フランジ３を、フィルタ枠２の片方の縦枠Ｖｆ１と上側の横枠Ｈｆ１の前面に添わせて固定するＬ字状の第１の分割フランジ３ｃと、フィルタ枠２の他方の縦枠Ｖｆ２と下側の横枠Ｈｆ２の前面に添わせて固定するＬ字状の第２の分割フランジ３ｄとで構成したものである。
【００３６】
Ｌ字状の分割フランジを２個組み合わせたこの第５形態も、門型の分割フランジを用いた第１〜第４形態ほどではないが、フランジによるフィルタ枠の補強効果が得られる。
【００３７】
図１１の１０は、配電盤などの機器ボックスである。この機器ボックス１０に設けられた通気口１１に、フランジ付きフィルタ枠１で濾材を保持したフィルタ装置２０が取り付けられる。
【００３８】
そのフィルタ装置２０は、通気口１１にフランジ付きフィルタ枠１を挿入し、フランジ３をネジで機器ボックス１０の外壁に固定することができる。
【００３９】
なお、図１１の符号１２は、フィルタ装置に取り付ける既知のガラリである。
【符号の説明】
【００４０】
１              フランジ付きフィルタ枠
２              フィルタ枠
２ａ            溝
Ｈｆ１，Ｈｆ２  横枠
Ｖｆ１，Ｖｆ２  縦枠
３              フランジ
３ａ，３ｃ      第１の分割フランジ
３ｂ，３ｄ      第２の分割フランジ
３−１〜３−４  分割部材
１０            機器ボックス
１１            通気口
１２            ガラリ
Ｃ              溝型鋼
Ｏｗ            両側壁
ｎ              ノッチ
２０            フィルタ装置
【図１】
2020006334.tif 000003
【図２】
2020006334.tif 000004
【図３】
2020006334.tif 000005
【図４】
2020006334.tif 000006
【図５】
2020006334.tif 000007
【図６】
2020006334.tif 000008
【図７】
2020006334.tif 000009
【図８】
2020006334.tif 000010
【図９】
2020006334.tif 000011
【図１０】
2020006334.tif 000012
【図１１】
2020006334.tif 000013
【図１２】
2020006334.tif 000014
【図１３】
2020006334.tif 000015
【図１４】
2020006334.tif 000016
【図１５】
2020006334.tif 000017
【図１６】
2020006334.tif 000018
【図１７】
2020006334.tif 000019